(57)【要約】【課題】緩みやがたつきがないように、レンズを智およびブリッッジ等に強固に取付けることができ、且つ、眼鏡を掛けているときの安全性にも優れている、縁無し眼鏡のレンズ取付構造を提供する。【解決手段】レンズ１２の前面側にレンズ止め部材２０が配置される。第１のレンズ止めねじ部材２６の軸部３０は、レンズ１２の前面側からレンズ止め部材２０の支持ベース貫通孔２２ａ，レンズ孔１４に挿入される。第２のレンズ止めねじ部材２８の胴部３８は、レンズ１２の後面側からレンズ孔１４に挿入される。軸部３０の第１のねじ部３０ａと胴部３８の第２のねじ部３８ａとが螺合されることにより、レンズ１２とレンズ止め部材２０とが固着される。第２のレンズ止めねじ部材２８のフランジ部４０から第１のレンズ止めねじ部材２６の軸部３０が突き出ない構造を有すると共に、第１のねじ部３０ａと第２のねじ部３８ａとの螺合面積が大きくなる。【選択図】　　　図３
2004126462.tif 000002
【特許請求の範囲】
【請求項１】
レンズ、
前記レンズの端縁近傍に設けられ、前記レンズを貫通するレンズ孔、
前記レンズの一方主面側に配置され、前記レンズを智およびブリッジ等のフロントに固定するためのレンズ止め部材、
前記レンズ止め部材に接続され、前記レンズの一部に支持されることにより、前記レンズ止め部材の回動を防止する回り止め片、
前記レンズ止め部材に配設され、前記レンズ孔と連通可能な連通孔、
前記レンズの一方主面側から前記連通孔および前記レンズ孔に挿入される第１のレンズ止めねじ部材、および
前記レンズの他方主面側から前記レンズ孔に挿入され、前記第１のレンズ止めねじ部材に螺合される第２のレンズ止めねじ部材を含み、
前記第１のレンズ止めねじ部材は、その外周面に第１のねじ部を有する軸部、および、前記軸部の軸方向の一端に配設され、前記軸部の径よりも大きい頭部を含み、
前記第２のレンズ止めねじ部材は、その内周面に第２のねじ部を有する筒状の胴部、および、前記胴部の軸方向の一端に配設され、前記胴部の径よりも大きいフランジ部を含み、
前記第２のレンズ止めねじ部材の少なくとも胴部が前記レンズ孔に挿入・配置され、前記第１のねじ部と前記第２のねじ部とが螺合されることにより、前記レンズ止め部材に前記レンズが固定されることを特徴とする、縁無し眼鏡のレンズ取付構造。
【請求項２】
前記第１のねじ部は、ねじ山の頂に沿って設けられる溝部によって、前記ねじ山の頂に配設される弾性変形片を含み、前記第１のねじ部と前記第２のねじ部とが螺合したときに、前記弾性変形片が前記第２のねじ部のフランクに圧接されることを特徴とする、請求項１に記載の縁無し眼鏡のレンズ取付構造。
【請求項３】
前記第２のレンズ止めねじ部材は、前記胴部の外周面に配設される複数の凸条部をさらに含み、複数の前記凸条部は、前記第２のレンズ止めねじ部材が前記レンズ孔に挿入されたときに、前記レンズ孔の内周壁面に食い込むことを特徴とする、請求項１または請求項２に記載の縁無し眼鏡のレンズ取付構造。
【請求項４】
前記第２のレンズ止めねじ部材は、環状のフランジ部を含み、前記環状のフランジ部の内周面には、前記第２のねじ部に連接される第３のねじ部が配設され、前記第１のレンズ止めねじ部材の軸部が、前記第２のレンズ止めねじ部材の前記環状のフランジ部から突出しないように、前記第１のねじ部は、前記第２のねじ部および前記第３のねじ部に螺合されることを特徴とする、請求項１〜請求項３のいずれかに記載の縁無し眼鏡のレンズ取付構造。
【請求項５】
前記レンズ孔の内周面には、第４のねじ部が配設され、前記第２のレンズ止めねじ部材は、前記胴部の外周面に配設される第５のねじ部をさらに含み、前記第４のねじ部と前記第５のねじ部とが螺合されることを特徴とする、請求項１または請求項２に記載の縁無し眼鏡のレンズ取付構造。
【請求項６】
前記回り止め片は、前記レンズ止め部材の前記連通孔と所定の間隔を隔てて、前記レンズ止め部材から延び設けられるピン部を含み、前記ピン部は、前記レンズに配設された係止穴に挿入されることを特徴とする、請求項１〜請求項５のいずれかに記載の縁無し眼鏡のレンズ取付構造。
【請求項７】
前記回り止め片は、前記レンズ止め部材から突き出る突起部を含み、前記突起部は、前記レンズの端縁に配設される切欠き部に係止されることを特徴とする、請求項１〜請求項５のいずれかに記載の縁無し眼鏡のレンズ取付構造。
【発明の詳細な説明】
【０００１】
【発明の属する技術分野】
本願発明は、縁無し眼鏡のレンズ取付構造に関する。
【０００２】
【従来の技術】
【特許文献１】
実用新案登録第３０１４２３３号公報（図９、図１０、図１１）
【０００３】
本願発明の背景となる従来技術の一例が、上記［特許文献１］のたとえば図９、図１０および図１１に開示されている。この従来技術のテンプル側におけるレンズの取付構造では、レンズの外側の周面に当接する当接片にレンズ内方に向けて固定片が突設され、該固定片をボルトとナットとを用いてレンズに固着している。また、ブリッジ側におけるレンズの取付構造では、レンズの内側の周面に当接する当接片にレンズ内方に向けて固定片が突設され、該固定片をボルトとナットとを用いてレンズに固着している。
【０００４】
【発明が解決しようとする課題】
しかしながら、このような従来技術におけるレンズ取付構造では、レンズの前側から挿入されレンズの後側から突き出たボルトのねじ部に、ナットのねじ部が螺合されることによって、レンズが智およびブリッジに取付けられている。この場合、ボルトは、該ボルトの有効ねじ部の内、レンズの後側から突き出た部分でしかナットのねじ部と螺合・結合していない。すなわち、ボルトのねじ面とナットのねじ面との螺合・結合面積が小さく、ボルトとナットとの締結力が弱いものとなっている。そのため、このような従来技術におけるレンズ取付構造では、ボルト・ナットの締結力の低下により、レンズと智およびブリッジとの連結部分に緩みやがたつきが発生する。
また、レンズの裏面側には、レンズ面から眼球側にボルトの軸部がナットから突き出るため、眼鏡を掛けているときの安全性が脅かされたり、レンズの裏面側を清掃用布等で拭くときに、ナットから突出したボルトの軸部先端の角張った部分で清掃用布等を傷つけてしまうことがあった。
【０００５】
それゆえに、本願発明の主たる目的は、緩みやがたつきがないように、レンズを智およびブリッッジ等に強固に取付けることができ、且つ、眼鏡を掛けているときの安全性にも優れている、縁無し眼鏡のレンズ取付構造を提供することである。
【０００６】
【課題を解決するための手段】
請求項１にかかる本願発明は、レンズと、レンズの端縁近傍に設けられ、レンズを貫通するレンズ孔と、レンズの一方主面側に配置され、レンズを智およびブリッジ等のフロントに固定するためのレンズ止め部材と、レンズ止め部材に接続され、レンズの一部に支持されることにより、レンズ止め部材の回動を防止する回り止め片と、レンズ止め部材に配設され、レンズ孔と連通可能な連通孔と、レンズの一方主面側から連通孔およびレンズ孔に挿入される第１のレンズ止めねじ部材と、レンズの他方主面側からレンズ孔に挿入され、第１のレンズ止めねじ部材に螺合される第２のレンズ止めねじ部材とを含み、第１のレンズ止めねじ部材は、その外周面に第１のねじ部を有する軸部と、軸部の軸方向の一端に配設され、軸部の径よりも大きい頭部とを含み、第２のレンズ止めねじ部材は、その内周面に第２のねじ部を有する筒状の胴部と、胴部の軸方向の一端に配設され、胴部の径よりも大きいフランジ部とを含み、第２のレンズ止めねじ部材の少なくとも胴部がレンズ孔に挿入・配置され、第１のねじ部と第２のねじ部とが螺合されることにより、レンズ止め部材にレンズが固定されることを特徴とする、縁無し眼鏡のレンズ取付構造である。
請求項２にかかる本願発明は、請求項１に記載の発明に従属されるものであって、第１のねじ部は、ねじ山の頂に沿って設けられる溝部によって、ねじ山の頂に配設される弾性変形片を含み、第１のねじ部と第２のねじ部とが螺合したときに、弾性変形片が第２のねじ部のフランクに圧接されることを特徴とする、縁無し眼鏡のレンズ取付構造である。
請求項３にかかる本願発明は、請求項１または請求項２に記載の発明に従属されるものであって、第２のレンズ止めねじ部材は、胴部の外周面に配設される複数の凸条部をさらに含み、複数の凸条部は、第２のレンズ止めねじ部材がレンズ孔に挿入されたときに、レンズ孔の内周壁面に食い込むことを特徴とする、縁無し眼鏡のレンズ取付構造である。
請求項４にかかる本願発明は、請求項１〜請求項３のいずれかに記載の発明に従属されるものであって、第２のレンズ止めねじ部材は、環状のフランジ部を含み、環状のフランジ部の内周面には、第２のねじ部に連接される第３のねじ部が配設され、第１のレンズ止めねじ部材の軸部が、第２のレンズ止めねじ部材の環状のフランジ部から突出しないように、第１のねじ部は、第２のねじ部および第３のねじ部に螺合されることを特徴とする、縁無し眼鏡のレンズ取付構造である。
請求項５にかかる本願発明は、請求項１または請求項２に記載の発明に従属されるものであって、レンズ孔の内周面には、第４のねじ部が配設され、第２のレンズ止めねじ部材は、胴部の外周面に配設される第５のねじ部をさらに含み、第４のねじ部と第５のねじ部とが螺合されることを特徴とする、縁無し眼鏡のレンズ取付構造である。
請求項６にかかる本願発明は、請求項１〜請求項５のいずれかに記載の発明に従属されるものであって、回り止め片は、レンズ止め部材の連通孔と所定の間隔を隔てて、レンズ止め部材に配設されるピン部を含み、ピン部は、レンズに配設された係止穴に挿入されることを特徴とする、縁無し眼鏡のレンズ取付構造である。
請求項７にかかる本願発明は、請求項１〜請求項５のいずれかに記載の発明に従属されるものであって、回り止め片は、レンズ止め部材から突き出る突起部を含み、突起部は、レンズの端縁に配設される切欠き部に係止されることを特徴とする、縁無し眼鏡のレンズ取付構造である。
［作用］
請求項１にかかる本願発明では、レンズの一方主面側にレンズ止め部材が配置される。そして、レンズの一方主面側から第１のレンズ止めねじ部材が、レンズ止め部材の連通孔およびレンズのレンズ孔に挿入される。この場合、第１のレンズ止めねじ部材の頭部は、レンズ止め部材の前面に係止される。また、レンズの他方主面側から第２のレンズ止めねじ部材が、レンズのレンズ孔に挿入される。この場合、第２のレンズ止めねじ部材のフランジ部は、レンズの後面に係止される。さらに、レンズ孔において、第１のねじ部と第２のねじ部とが螺合・締結されることによって、レンズとレンズ止め部材とが固着される。回り止め片は、レンズの一部に支持されることにより、レンズ面に対するレンズ止め部材の回り現象を防止する。
請求項１にかかる本願発明では、従来の技術と比べて、第１のねじ部と第２のねじ部との螺合・結合面積を大きくとれるので、レンズとレンズ止め部材とが強固に固着される。そのため、レンズを智およびブリッジ等のフロントに取付けたときの緩みやがたつきが防止される。さらに、請求項１にかかる本願発明では、第２のレンズ止めねじ部材のフランジ部から第１のレンズ止めねじ部材の軸部が突き出ない構造を有するため、眼鏡を掛けているときの安全性が脅かされたり、レンズ面を清掃用布等で拭くときに、該第１のレンズ止めねじ部材の軸部で清掃用布等を破損させてしまう恐れがない。
請求項２にかかる本願発明では、第１のねじ部と第２のねじ部とが螺合したとき、溝部によってねじ山の頂部が分断されてなる弾性変形片が第２のねじ部のフランクに圧接される。この場合、第１のねじ部の弾性変形片は、第２のねじ部のねじ山間で溝部が縮まる方向に弾性変形するが、このとき、弾性変形片は、その復元力（反発力）によって、第２のねじ部のねじ山のフランク面を押圧する。したがって、請求項２にかかる本願発明では、請求項１にかかる発明と比べて、第１のねじ部と第２のねじ部との固着力がより一層強化される。
請求項３かかる本願発明では、第２のレンズ止めねじ部材がレンズ孔に挿入されたときに、その胴部の外周面に配設された複数の凸条部がレンズ孔の内周壁面に食い込むため、該胴部が強固にレンズ孔に保持され、第１のレンズ止めねじ部材と第２のレンズ止めねじ部材との固着力が強固なものとなり、延いては、レンズとレンズ止め部材との取付強度も高くなる。
請求項４にかかる本願発明では、第１のレンズ止めねじ部材の軸部が、第２のレンズ止めねじ部材の環状のフランジ部から突出しないように、第１のねじ部と、第２のねじ部および第３のねじ部とが螺合される。そのため、第１のレンズ止めねじ部材と第２のレンズ止めねじ部材との螺合・結合面積がより一層大きくなり、レンズとレンズ止め部材とはさらに一層強固に固着される。
請求項５にかかる本願発明では、レンズ孔の内周面に配設された第４のねじ部と、第２のレンズ止めねじ部材の胴部の外周面に配設された第５のねじ部とが螺合されるので、該胴部が強固にレンズ孔に保持され、第１のレンズ止めねじ部材と第２のレンズ止めねじ部材との固着力が強固なものとなり、延いては、レンズとレンズ止め部材との取付強度も高くなる。
請求項６にかかる本願発明では、回り止め片としてのピン部が、レンズに配設された係止穴に挿入・係止され、請求項７にかかる本願発明では、回り止め片としての突起部がレンズの端縁に配設された切欠き部に係止される。これによって、レンズ面に対するレンズ止め部材の回り現象が防止され、延いては、レンズ止め部材およびレンズの緩みやがたつきが防止される。なお、レンズに配設される上記係止穴は、有底穴が好ましいが、たとえばレンズを貫通する貫通穴であってもよい。
【０００７】
本願発明の上述の目的，その他の目的，特徴および利点は、図面を参照して行う以下の発明の実施の形態の詳細な説明から一層明らかとなろう。
【０００８】
【発明の実施の形態】
【実施例】
図１は、本願発明の一実施例を示す斜視図である。図２は、図１の実施例の要部を平面側から見た断面図であり、図３は、図２の分解図である。本実施例では、本願発明にかかる縁無し眼鏡のレンズ取付構造が適用された縁無し眼鏡の一例について説明する。本実施例にかかる縁無し眼鏡１０は、所定の玉形形状のレンズ１２を含む。レンズ１２は、合成樹脂材料等で形成される。レンズ１２は、該レンズ１２の端縁近傍に、たとえば正面視円形のレンズ孔１４を有する。本実施例では、レンズ孔１４の孔径が例えば２．０ｍｍ〜２．２ｍｍ程度に形成される。
レンズ１２は、たとえば図１に示すように、テンプルＴにつながるフロント両側の智１６およびフロント中央のブリッジＢに取付けて固定される。この場合、レンズ１２の一方主面側（本実施例では、レンズ１２の前面側）には、レンズ１２を智１６およびブリッジ１８に固定するためのレンズ止め部材２０が配置される。
【０００９】
レンズ止め部材２０は、断面Ｌ字状の支持ベース２２を含む。支持ベース２２は、その一方主面から他方主面に貫通する支持ベース貫通孔２２ａを有する。支持ベース貫通孔２２ａは、支持ベース２２の長さ方向の一端側で、レンズ孔１４と連通可能な位置に配置される。本実施例では、支持ベース貫通孔２２ａが本願発明の構成要件の１つであるレンズ止め部材の連通孔としての機能を有する。
【００１０】
支持ベース２２の長さ方向の他端部には、レンズ１２の外周端面の一部に当接される当接片２４が配設される。当接片２４は、図１に示すように、たとえば弓形状に形成され、智１６およびブリッジ１８の端部と接続される。つまり、当接片２４は、レンズ１２の外周端面の一部に支持され、レンズ止め部材２０のレンズ１２面に対する回動を防止する回り止め片としての機能を有する。なお、本実施例では、支持ベース２２と当接片２４と智１６とが一体的に形成され、同様に、支持ベース２２と当接片２４とブリッジ１８とが一体的に形成される。
【００１１】
レンズ１２とレンズ止め部材２０の支持ベース２２とは、第１のレンズ止めねじ部材２６および第２のレンズ止めねじ部材２８によって固定される。すなわち、第１のレンズ止めねじ部材２６は、レンズ１２の一方主面側（本実施例では、レンズ１２の前面側）から支持ベース貫通孔２２ａおよびレンズ孔１４に挿入される。また、第２のレンズ止めねじ部材２８は、レンズの他方主面側（本実施例では、レンズ１２の後面側）からレンズ孔１４に挿入される。そして、第１のレンズ止めねじ部材２６と第２のレンズ止めねじ部材２８とが螺合・締結されることによって、レンズ１２とレンズ止め部材２０とが固定される。
【００１２】
そこで、第１のレンズ止めねじ部材２６および第２のレンズ止めねじ部材２８について説明する。
第１のレンズ止めねじ部材２６は、その外周面に雄ねじからなる第１のねじ部３０ａを有する軸部３０を含む。軸部３０の軸方向の一端には、すりわり部３２ａを有する頭部３２が一体的に配設される。頭部３２の径は、軸部３０の径よりも大きく形成される。なお、本実施例では、軸部３０の径がたとえは１．４ｍｍ前後に形成される。また、軸部３０の軸方向の長さは、たとえば支持ベース２２の厚みとレンズ１２の厚みとを加えた長さよりもわずかに短く形成される。
【００１３】
さらに、第１のねじ部３０ａには、特に、たとえば図４に示すように、ねじ山の頂に、たとえば１つの断面Ｖ字形の溝部３４が配設される。溝部３４は、ねじ山の頂に沿って設けられる。それによって、第１のねじ部３０ａのねじ山の頂には、２つの弾性変形片３６が構成される。
【００１４】
本実施例では、第１のレンズ止めねじ部材２６として、例えば、金属材料からなる十字穴付き小ねじのねじ山に弾性変形片３６を形成したものが用いられる。第１のレンズ止めねじ部材２６としては、上述のものに限定されるものではなく、十字穴以外のすりわり形状を有するすりわり付き小ねじや止めねじ等のねじ山に弾性変形片３６を形成したもの、あるいは、六角ボルト，四角ボルト等のねじ山に弾性変形片３６を形成したものを用いてもよく、また、材質も金属製以外に、樹脂製のものも用いることができる。
【００１５】
第２のレンズ止めねじ部材２８は、その内周面に雌ねじからなる第２のねじ部３８ａを有する円筒状の胴部３８を含む。胴部３８の軸方向の一端には、その内周面に雌ねじからなる第３のねじ部４０ａを有する環状のフランジ部４０が配設される。フランジ部４０は、胴部３８の外径よりも大きい外径を有する。本実施例では、例えば、フランジ部４０がたとえば六角ナットで形成され、また、胴部３８とフランジ部４０とは、金属材料で一体的に形成される。さらに、第２のねじ部３８ａと第３のねじ部４０ａとは、同じ雌ねじ構造を有し、連続（連接）して一体的に形成される。つまり、本実施例では、第２のねじ部３８ａおよび第３のねじ部４０ａが、胴部３８およびフランジ部４０をその軸方向に貫通する雌ねじにより形成される。
第２のレンズ止めねじ部材２８のフランジ部４０としては、上述のものに限定されるものではなく、四角ナット、その他の多角形状のナットを用いてもよく、また、材質も金属製以外に、樹脂製のものも用いることができる。
【００１６】
なお、本実施例では、胴部３８の径がレンズ孔１４の孔径よりもわずかに小さく形成される。胴部３８の軸方向の長さ（首下の長さ）は、たとえば１．３ｍｍ〜２．０ｍｍ程度に形成される。フランジ部４０の軸方向の厚みは、たとえば０．７ｍｍに形成される。
この場合、胴部３８の軸方向の長さ（首下の長さ）は、レンズ１２の厚みにより適宜変更され得るが、少なくとも１．０ｍｍ以上あれば、第１のレンズ止めねじ部材２６および第２のレンズ止めねじ部材２８の緩み止め効果が充分に得られるものである。
【００１７】
図１〜図４で示した本実施例では、例えば、第１のレンズ止めねじ部材２６の第１のねじ部３０ａと、第２のレンズ止めねじ部材２８の第２のねじ部３８ａとが、螺合・締結されることによって、レンズ止め部材２０にレンズ１２が固定される。本実施例では、第１のねじ部３０ａと第２のねじ部３８ａとが螺合された場合、特に、たとえば図４に示すように、第１のねじ部３０ａの弾性変形片３６が第２のねじ部３８ａのフランク３９ａに圧接される。
【００１８】
すなわち、第１のねじ部３０ａの弾性変形片３６が、第２のねじ部３８ａのねじ山間で溝部３４が縮まる方向に弾性変形する。このとき、弾性変形片３６は、その復元力（反発力）によって、第２のねじ部３８ａのねじ山のフランク３９ａ面を押圧する。したがって、本実施例では、第１のねじ部３０ａと第２のねじ部３８ａとの固着・締結力が極めて強固なものとなる。
【００１９】
さらに、図１〜図４で示した本実施例では、第１のねじ部３０ａと第２のねじ部３８ａとの螺合・結合面積を大きくとれるので、レンズ１２とレンズ止め部材２０とが、従来の技術と比べて、強固に固着される。したがって、本実施例では、レンズ１２を智１６およびブリッジ１８等のフロントに取付けたときの緩みやがたつきを防止することができる。
【００２０】
その上、図１〜図４で示した本実施例では、第１のレンズ止めねじ部材２６の軸部３０が第２のレンズ止めねじ部材２８のフランジ部４０から突き出ない取付構造を有するので、眼鏡を掛けているときの安全性が脅かされたり、レンズ１２の特に後側面を清掃用布等で拭くときに、第１のレンズ止めねじ部材２６の軸部３０の突出部で清掃用布等を破損させてしまう恐れもない。
【００２１】
上述の実施例において、第１のねじ部３０ａと、第２のねじ部３８ａおよび第３のねじ部４０ａとを螺合・締結するよにしてもよい。この場合、第１のレンズ止めねじ部材２６の軸部３０は、第２のレンズ止めねじ部材２８のフランジ部４０の端部から突出しないように、第１のねじ部３０ａが第２のねじ部３８ａおよび第３のねじ部４０ａに螺合される。この場合、第１のレンズ止めねじ部材２６と第２のレンズ止めねじ部材２８との螺合面積は、第３のねじ部４０ａの分だけ大きくなるため、レンズ１２とレンズ止め部材２０との固着力をより一層高くすることができる。
【００２２】
なお、第１のレンズ止めねじ部材２６の軸部３０の軸長が、支持ベース貫通孔２２ａの深さと、レンズ孔１４の深さと、フランジ部４０の軸方向の厚みとを合わせた長さよりも長く設定された場合には、レンズ１２をレンズ止め部材２０に取付けたときに、フランジ部４０から突出する軸部３０の突出し部分を適宜な切断手段により切断すればよい。
【００２３】
また、図１〜図４で示した上述の実施例では、第１のレンズ止めねじ部材２６がレンズ１２の前面側から挿入され、第２のレンズ止めねじ部材２８がレンズ１２の後面側から挿入されたが、たとえば図５に示すように、第１のレンズ止めねじ部材２６をレンズ１２の後面側から挿入・配置し、第２のレンズ止めねじ部材２８をレンズ１２の前面側から挿入・配置するようにしてもよい。この場合、第１のレンズ止めねじ部材２６の頭部３２とレンズ１２の後面との間には、適宜、座金部４２が配置される。
【００２４】
さらに、図１〜図４で示した上述の実施例では、レンズ止め部材２０がレンズ１２の前面側に配置されたが、レンズ止め部材２０は、たとえば図６および図７に示すように、レンズ１２の後面側に配置されてもよい。この場合、図６の実施例では、第１のレンズ止めねじ部材２６がレンズ１２の前面側から挿入され、第２のレンズ止めねじ部材２８がレンズ１２の後面側から挿入される。また、第１のレンズ止めねじ部材２６の頭部３２とレンズ１２の後面との間には、適宜、座金部４２が配置される。さらに、図７の実施例では、第１のレンズ止めねじ部材２６がレンズ１２の後面側から挿入され、第２のレンズ止めねじ部材２８がレンズ１２の前面側から挿入される。
上述した図５および図６の実施例では、レンズ止め部材２０の支持ベース貫通孔２２ａの深さが、第２のレンズ止めねじ部材２８の胴部３８の軸方向の長さ（軸長）よりも長く形成される。この場合、第１のレンズ止めねじ部材２６の第１のねじ部３０ａと第２のレンズ止めねじ部材２８の第２のねじ部３８ａとは、支持ベース貫通孔２２ａで螺合される。
また、レンズ止め部材２０の支持ベース貫通孔２２ａおよびレンズ孔１４の大きさ（直径）は、第２のレンズ止めねじ部材２８の胴部３８の外径と略同じか、あるいは、わずかに大きく形成されてもよい。この場合、胴部３８の軸長が支持ベース貫通孔２２ａよりも短いときには、第１のレンズ止めねじ部材２６の第１のねじ部３０ａと第２のレンズ止めねじ部材２８の第２のねじ部３８ａとは、支持ベース貫通孔２２ａで螺合される。また、胴部３８の軸長が支持ベース貫通孔２２ａよりも長いときには、第１のレンズ止めねじ部材２６の第１のねじ部３０ａと第２のレンズ止めねじ部材２８の第２のねじ部３８ａとは、支持ベース貫通孔２２ａおよびレンズ孔１４にわたって螺合される。
【００２５】
また、図１〜図４で示した上述の実施例では、回り止め片としての機能を有する部材としての当接片２４が設けられたが、当接片２４に代えて、回り止め片としては、たとえば図８に示すように、ピン部４４をレンズ止め部材２０に配設するようにしてもよい。すなわち、レンズ止め部２０の支持ベース２２には、支持ベース貫通孔２２ａの近傍に、たとえば円柱状のピン部４４が配設される。一方、レンズ１２の端縁近傍には、ピン部４４が挿入・係止可能な位置に、係止穴として、たとえば正面視円形状で有底のピン穴４６が配設される。
なお、図８の実施例では、ピン部４４およびピン穴４６が、それぞれ、支持ベース貫通孔２２ａおよびレンズ孔１４よりも、智１６側に配設されているが、ピン部４４およびピン穴４６は、それぞれ、支持ベース貫通孔２２ａおよびレンズ孔１４よりも、ブリッジ側に配設するようにしてもよい。
【００２６】
さらに、回り止め片の機能を有する部材としては、上述した当接片２４およびピン部４４以外にも、たとえば図９に示すように、レンズ止め部材２０に突起部４８を配設するようにしてもよい。すなわち、レンズ止め部２０は、その支持ベース２２の内側面から内方へ突出する、たとえば山形状の突起部４８を有する。一方、レンズ１２の端縁近傍には、突起部４８が係止可能な位置に切欠き部５０が配設される。
【００２７】
また、上述した各実施例において、第２のレンズ止めねじ部材２８は、たとえば図１０に示すように、第２のレンズ止めねじ部材２８の胴部３８の外周面に、間隔を隔てて多数の凸条部５２を配設するようにしてもよい。多数の凸条部５２は、胴部３８の軸方向に斜めに延びる多数のたとえばローレット目により形成される。多数の凸条部５２は、第２のレンズ止めねじ部材２８がレンズ孔１４に挿入されたときに、レンズ孔１４の内周壁面に食い込む。
【００２８】
そのため、第２のレンズ止めねじ部材２８は、強固にレンズ孔１４に保持される。したがって、第１のレンズ止めねじ部材２６と第２のレンズ止めねじ部材２８との固着力が強固なものとなり、レンズ止め部材２０とレンズ１２との取付強度もより一層強固なものとなる。
なお、胴部３８の外周面に配設する多数の凸条部５２は、多数の凹凸部を有する構成であれば、ローレット目形成以外の方法で形成されてもよい。
【００２９】
また、上述した各実施例において、レンズ孔１４の内周面に雌ねじからなる第４のねじ部（図示せず）を配設し、さらに、第２のレンズ止めねじ部材２８の胴部３８の外周面に雄ねじからなる第５のねじ部（図示せず）を配設するようにしてもよい。そして、レンズ孔１４の内周面に配設された第４のねじ部（図示せず）には、第２のレンズ止めねじ部材２８の胴部３８の外周面に配設された第５のねじ部（図示せず）が螺合・締結される。
この場合、胴部３８が強固にレンズ孔１４に保持され、第１のレンズ止めねじ部材２６と第２のレンズ止めねじ部材２８との固着力が強固なものとなり、レンズ１２とレンズ止め部材２０との取付強度がさらに高くなる。
【００３０】
なお、本実施例では、主として、縁無し眼鏡１０のレンズ１２と、たとえば智１６側のレンズ止め部材２０との取付構造について説明したが、本願発明にかかる縁無し眼鏡のレンズ取付構造は、たとえばブリッジ１８側のレンズ止め部材２０と、レンズ１２との取付構造についても、当然、適用され得るものである。
また、本願発明にかかる縁無し眼鏡のレンズ取付構造は、智１６側およびブリッジ側の内の少なくとも一方側のレンズ止め部材２０と、レンズ１２との取付構造に適用するようにしてもよいものである。
【００３１】
【発明の効果】
本願発明によれば、緩みやがたつきがないように、レンズを智およびブリッッジ等に強固に取付けることができ、且つ、眼鏡を掛けているときの安全性にも優れている、縁無し眼鏡のレンズ取付構造が得られる。
【図面の簡単な説明】
【図１】本願発明の一実施例を示す斜視図である。
【図２】図１の実施例の要部を平面側から見た断面図である。
【図３】図２の分解図である。
【図４】図１，図２および図３で示した実施例の他の要部を平面側から見た断面図である。
【図５】図１〜図４で示した実施例の変形例を平面側から見た分解断面図である。
【図６】本願発明の他の実施例の要部を平面側から見た分解断面図である。
【図７】図６の実施例の変形例を平面側から見た分解断面図である。
【図８】本願発明のさらに他の実施例の要部を平面側から見た分解断面図である。
【図９】図８の実施例の変形例を平面側から見た分解断面図である。
【図１０】本願発明に適用される第２のレンズ止めねじ部材の他の例を示す斜視図である。
【符号の説明】
１０　縁無し眼鏡
１２　レンズ
１４　レンズ孔
１６　智
１８　ブリッジ
２０　レンズ止め部材
２２　支持ベース
２２ａ　支持ベース貫通孔
２４　当接片
２６　第１のレンズ止めねじ部材
２８　第２のレンズ止めねじ部材
３０　軸部
３０ａ　第１のねじ部
３２　頭部
３２ａ　すりわり部
３４　溝部
３６　弾性変形片
３８　胴部
３８ａ　第２のねじ部
３９ａ　フランク
４０　フランジ部
４０ａ　第３のねじ部
４２　座金部
４４　ピン部
４６　ピン穴
４８　突起部
５０　切欠き部
５２　凸条部
Ｔ　テンプル
【図１】
2004126462.tif 000003
【図２】
2004126462.tif 000004
【図３】
2004126462.tif 000005
【図４】
2004126462.tif 000006
【図５】
2004126462.tif 000007
【図６】
2004126462.tif 000008
【図７】
2004126462.tif 000009
【図８】
2004126462.tif 000010
【図９】
2004126462.tif 000011
【図１０】
2004126462.tif 000012